(57)【要約】      （修正有）【課題】ユーザーが、簡単な操作で、テープ印刷装置に登録されたファイルの一覧を印刷することができるテープ印刷装置および印刷方法を提供する。【解決手段】入力された情報に基づく編集データ毎にファイルとして登録するファイル登録手段８２と、登録された全てのファイルについて、各ファイルの内容の少なくとも一部をファイル一覧として印刷するファイル一覧印刷手段８６と、を備える。また、ファイル一覧印刷手段８６は、各ファイルの内容に加え、ファイル番号およびファイル名の少なくとも１つを印刷する。【選択図】図３
2010173073.tif 000002
【特許請求の範囲】
【請求項１】
入力された情報に基づく編集データ毎にファイルとして登録するファイル登録手段と、
登録された全ての前記ファイルについて、前記各ファイルの内容の少なくとも一部をファイル一覧として印刷するファイル一覧印刷手段と、を備えたことを特徴とするテープ印刷装置。
【請求項２】
前記各ファイルの内容の少なくとも一部を印刷する際の領域サイズ、文字サイズ、行数および文字数の内、少なくとも１つを設定するためのファイル印刷設定手段をさらに備え、
前記ファイル一覧印刷手段は、
前記ファイル印刷設定手段による設定に基づいて、前記ファイル一覧を印刷することを特徴とする請求項１に記載のテープ印刷装置。
【請求項３】
前記ファイル登録手段は、
前記ファイル毎に、当該ファイルを特定するためのファイル番号および当該ファイルのファイル名を登録し、
前記ファイル一覧印刷手段は、
前記各ファイルの内容に加え、前記ファイル番号および前記ファイル名の少なくとも１つを印刷することを特徴とする請求項１または２に記載のテープ印刷装置。
【請求項４】
入力された情報に基づく編集データ毎にファイルとして登録するファイル登録ステップと、
登録された全ての前記ファイルについて、前記各ファイルの内容の少なくとも一部をファイル一覧として印刷するファイル一覧印刷ステップと、を備えたことを特徴とするテープ印刷装置の印刷方法。
【発明の詳細な説明】
【技術分野】
【０００１】
本発明は、作成したデータをファイルとして登録することができるテープ印刷装置およびその印刷方法に関するものである。
【背景技術】
【０００２】
従来、ユーザーが作成したラベルのデータを、装置本体にファイルとして登録（保存）することができるテープ印刷装置が知られている。このテープ印刷装置では、ユーザーが情報（テキストや画像など）を入力した後、所定のキー操作を行うことにより当該情報をファイルとして登録する（ファイル登録機能）。また、登録したファイルは、所定のキー操作によりユーザーが所望するタイミングで呼び出すことができる（ファイル呼出機能）。この時、呼び出し対象となるファイルの内容を、実際にファイルを呼び出す前に表示画面に表示する。これにより、ユーザーはファイルを呼び出す前に、その内容を確認することができる（例えば、非特許文献１参照）。
【先行技術文献】
【非特許文献】
【０００３】
【非特許文献１】「テプラ」ＰＲＯ  ＳＲ８２８  取扱説明書、第２版（１９９８年７月発行）、ｐ．１２２−ｐ．１２３
【発明の概要】
【発明が解決しようとする課題】
【０００４】
ところで、上記のテープ印刷装置では、複数のファイルを登録することができるため、ユーザーはどのようなファイルが登録されているのか、あるいは所望するファイルが登録されているのかを把握することが難しい。また、ファイル登録時にファイル番号やファイル名を登録し、これらをもとに所望のファイルを選択して呼び出すことが可能であるが、ユーザーがファイル登録時のファイル番号やファイル名を忘れたり、あるいはファイル名を付けずに登録していた場合には、ファイル呼び出し時の確認画面で、登録したファイルの内容を逐一確認しながら所望のファイルを選択するしかなく、手間がかかるものであった。さらに、似たような内容のファイルが複数ある場合には、細部にわたって内容を確認しなくてはならなかった。
【０００５】
本発明は、上記の問題に鑑みたものであり、ユーザーが、簡単な操作で、テープ印刷装置に登録されたファイルの一覧を印刷することができるテープ印刷装置およびその印刷方法を提供することを目的とする。
【課題を解決するための手段】
【０００６】
本発明のテープ印刷装置は、入力された情報に基づく編集データ毎にファイルとして登録するファイル登録手段と、登録された全てのファイルについて、各ファイルの内容の少なくとも一部をファイル一覧として印刷するファイル一覧印刷手段と、を備えたことを特徴とする。
【０００７】
また、本発明のテープ印刷装置の印刷方法は、入力された情報に基づく編集データ毎にファイルとして登録するファイル登録ステップと、登録された全てのファイルについて、各ファイルの内容の少なくとも一部をファイル一覧として印刷するファイル一覧印刷ステップと、を備えたことを特徴とする。
【０００８】
また、本発明のテープ印刷装置において、ファイル登録手段は、ファイル毎に、当該ファイルを特定するためのファイル番号および当該ファイルのファイル名を登録し、ファイル一覧印刷手段は、各ファイルの内容に加え、ファイル番号およびファイル名の少なくとも１つを印刷することが好ましい。
【０００９】
これらの構成によれば、登録した全てのファイルについて、各ファイルの内容の少なくとも一部が記載されたファイル一覧を印刷することができる。これにより、ユーザーは、ファイル一覧を参照することで、登録されているファイルの内容を簡単に確認することができる。
また、ファイルの内容に加え、ファイル番号やファイル名を印刷することで、例えば、ユーザーがファイル登録時のファイル番号やファイル名を忘れたり、あるいはファイル名を付けずに登録していた場合においても、容易に所望のファイルのファイル番号やファイル名を把握することができる。このため、ユーザーは、呼び出し対象となるファイルを容易に知ることができ、当該ファイルを選択する際に利便性が良い。
【００１０】
本発明のテープ印刷装置において、各ファイルの内容の少なくとも一部を印刷する際の領域サイズ、文字サイズ、行数および文字数の内、少なくとも１つを設定するためのファイル印刷設定手段をさらに備え、ファイル一覧印刷手段は、ファイル印刷設定手段による設定に基づいて、ファイル一覧を印刷することが好ましい。
【００１１】
この構成によれば、ファイルの内容の少なくとも一部を印刷する際の形式（領域サイズ、文字サイズ、行数および文字数）を設定し、この設定に基づいてファイル一覧を印刷する。これにより、ユーザーのニーズに合った様式で登録ファイルの一覧を印刷することができる。
【図面の簡単な説明】
【００１２】
【図１】本発明の一実施形態に係るテープ印刷装置の開蓋状態における外観斜視図である。
【図２】テープ印刷装置の制御ブロック図である。
【図３】ファイル操作機能の機能一覧について説明する図である。
【図４】テープ幅と印刷可能行数との対応の一例を示す図である。
【図５】ファイル一覧の印刷したラベルの一例を示す図である。
【図６】ハーフカット設定時における、ファイル一覧の印刷したラベルの一例を示す図である。
【発明を実施するための形態】
【００１３】
以下、本発明の一実施形態について、添付図面を参照しながら詳細に説明する。図１は、本実施形態に係るテープ印刷装置１の開閉蓋４を開いた状態の外観斜視図である。図１に示すようにテープ印刷装置１は、装置ケース２により外装が形成され、装置ケース２の前部上面には各種入力キーを備えたキーボード３が配置されると共に、後部上面には、その左部に開閉蓋４が取り付けられ、その右部には表示画面５が配設されている。開閉蓋４の内側にはテープカートリッジＣを装着するためのカートリッジ装着部６が窪入形成されており、テープカートリッジＣは、開閉蓋４を開放した状態でカートリッジ装着部６に着脱可能に装着される。また、開閉蓋４にはこれを閉じた状態でテープカートリッジＣの装着／非装着を視認するための覗き窓７が形成されている。
【００１４】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサー等と同様である。機能キー群３ｂには、［印刷］キー１１、カーソルキー１２、[選択]キー１３、［ファイル］キー１４などが含まれる。なお、これらのキー入力は、一般的なキーボードと同様に、キー入力毎に個別にキーを設けても良いし、シフトキー等と組み合わせてより少ない数のキーを用いて入力するようにしても良い。
【００１５】
［印刷］キー１１は、印刷実行を指示するためのキーである。カーソルキー１２は、上下左右キー（［↑］，［↓］，［←］，［→］）から成り、カーソル移動やスクロール操作を行うためのキーである。また、［選択］キー１３は、選択候補（選択肢）の選択および確定操作を行うためのキーである。
【００１６】
一方、［ファイル］キー１４は、入力された情報に基づいた編集データ（テキストデータや画像データ等）をファイルとして登録したり、あるいは登録したファイルの呼び出し／消去／複写／一覧印刷／一覧印刷設定などを行うためのキーである（詳細は後述する）。
【００１７】
表示画面５は、液晶ディスプレイで形成されている。表示画面５は、ユーザーがキーボード３により入力した所望の情報（編集データ）を印刷データに作成・編集したり、その結果等を視認（確認）するために用いられる。
【００１８】
装置ケース２の左側部には、カートリッジ装着部６と外部とを連通するテープ排出口２１が形成され、このテープ排出口２１には、送り出した印刷テープＴを切断するためのテープカッター２２（フルカッター５２およびハーフカッター５４，図２参照）が臨んでいる。そして、テープ排出口２１から印刷済みの印刷テープＴが所定長さだけ送り出され、送りを一旦停止させた状態で、この印刷済みの印刷テープＴをテープカッター２２により切断することにより、短冊状のラベルを作成する。
【００１９】
一方、カートリッジ装着部６には、ヘッドカバー２５内にサーマルタイプの印刷ヘッド２６が内蔵されたヘッドユニット２４と、印刷ヘッド２６に対峙するプラテン駆動軸２７と、後述のインクリボンＲを巻き取る巻き取り駆動軸２８と、後述のテープリール３２の位置決め突起２９とを備えている。また、カートリッジ装着部６の下側には、プラテン駆動軸２７および巻き取り駆動軸２８を回転させるテープ送りモーター３０（図２参照）が内蔵されている。
【００２０】
テープカートリッジＣは、カートリッジケース３１内部の上部中央部に、一定の幅（４ｍｍ〜４８ｍｍ程度）の印刷テープＴを巻回したテープリール３２と、右下部にインクリボンＲを巻回したリボンリール３３とを収容して構成されており、印刷テープＴとインクリボンＲは同じ幅で構成されている。また、テープリール３２の左下部には前記ヘッドユニット２４を覆うヘッドカバー２５に差し込まれるための貫通孔３４が形成されている。さらに、貫通孔３４に差し込まれたヘッドユニット２４は印刷テープＴとインクリボンＲとが重なる部分に対応して、前記プラテン駆動軸２７に嵌合されて回転駆動するプラテンローラー３５が配置されている。一方、前記リボンリール３３に近接してリボン巻き取りリール３６が配置され、リボンリール３３から繰り出されたインクリボンＲは、ヘッドカバー２５を周回するように配置され、リボン巻き取りリール３６に巻き取られるようになっている。
【００２１】
テープカートリッジＣがカートリッジ装着部６に装着されると、ヘッドカバー２５に貫通孔３４が、位置決め突起２９にテープリール３２の中心孔が、巻き取り駆動軸２８にリボン巻き取りリール３６の中心孔がそれぞれ差し込まれ、印刷テープＴおよびインクリボンＲを挟み込んで印刷ヘッド２６がプラテンローラー３５に当接して印刷が可能になる。その後、ユーザーが表示画面５の編集結果を確認しながらキーボード３により所望のテキスト（文字、数字、記号、簡易図形等のキャラクタ）や画像を入力し、印刷を指示すると、テープ印刷装置１は、テープ送りモーター３０によりテープカートリッジＣから印刷テープＴを繰り出し、印刷ヘッド２６の発熱素子を選択的に発熱させることにより印刷テープＴに所望の印刷を行う。印刷テープＴの印刷済み部分はテープ排出口２１から随時外部に送り出され、印刷を完了すると、テープ送りモーター３０は、余白分を含むテープ長さの位置まで印刷テープＴの送りを行った後、その送りを停止する（その後、切断処理に移行する）。
【００２２】
一方、印刷テープＴは、裏面に粘着剤層が形成された記録テープＴａと、この粘着剤層により記録テープＴａに貼り付けられた剥離テープＴｂとから構成されている。そして、印刷テープＴは、記録テープＴａを外側にし、かつ剥離テープＴｂを内側にしてロール状に巻回されてカートリッジケース３１内に収容されている。また、印刷テープＴは、テープ種別（テープ幅、テープの地色、地模様、材質（質感）など）が異なる複数種のものが用意されており、各カートリッジケース３１には、このうち１種類の印刷テープＴおよびインクリボンＲが収容されている。また、カートリッジケース３１の裏面にはテープカートリッジＣの種別を特定する複数の孔（図示省略）が設けられている。また、複数の孔に対応してカートリッジ装着部６には、これらを検出するテープ識別センサー（マイクロスイッチ等）３７（図２参照）が、複数設けられており、このテープ識別センサー３７により複数の孔の状態を検出することで、テープ種別を判別できるようになっている。
【００２３】
次に、図２の制御ブロック図を参照し、テープ印刷装置１の制御構成について説明する。テープ印刷装置１は、操作部４１、検出部４２、印刷部４３、切断部４４、駆動部４５、およびこれら各部と接続して、テープ印刷装置１全体を制御する制御部４０を有している。
【００２４】
操作部４１は、キーボード３上の文字キー群３ａや機能キー群３ｂからの情報の入力・編集や設定、およびこれら各種情報の表示画面５への表示等、ユーザーインターフェイスとして機能する。検出部４２は、上述したテープ識別センサー３７を有し、印刷テープＴ（テープカートリッジＣ）の種別を検出する。印刷部４３は、印刷ヘッド２６およびテープ送りモーター３０を有し、印刷テープＴおよびインクリボンＲを搬送しながら印刷テープＴ上に、生成された印刷データに基づく印刷を行う。
【００２５】
切断部４４は、印刷テープＴをフルカットするフルカッター５２およびこれを駆動するフルカッターモーター５１と、印刷テープＴをハーフカットするハーフカッター５４およびこれを駆動するハーフカッターモーター５３と、を有している。そして、これらフルカッター５２およびハーフカッター５４により、印刷部４３で印刷処理済みの印刷テープＴを所定の長さになるように切断し、ラベルを作成する。駆動部４５は、ディスプレイドライバー５５、ヘッドドライバー５６、テープ送りモータードライバー５７およびカッターモータードライバー５８を有し、各部を駆動する。
【００２６】
制御部４０は、ＣＰＵ（Central Processing Unit）６１、ＲＯＭ（Read Only Memory）６２、ＲＡＭ（Random Access Memory）６３、フラッシュＲＯＭ６４、および入出力制御装置（以下、「ＩＯＣ：Input Output Controller」と称する）６５を備え、これらは互いに内部バス６６により接続されている。
【００２７】
ＲＯＭ６２は、ＣＰＵ６１が各種制御を行うための制御プログラムおよび制御データを記憶している。ＲＡＭ６３は、ＣＰＵ６１が各種処理を実行するための作業領域として使用される。
【００２８】
フラッシュＲＯＭ６４は、ファイル領域７１を有している。ファイル領域７１は、ユーザーにより入力された編集データ毎にファイルとして記憶する。この記憶した各ファイルには、各ファイルを特定するためのファイル番号、およびユーザーにより各ファイルに付けられたファイル名が関連付けられている。
【００２９】
上記の構成により、ＣＰＵ６１は、ＲＯＭ６２内の各種制御プログラムに従って、ＩＯＣ６５を介してテープ印刷装置１内の各部から各種信号・データを入力する。また、入力された各種信号・データに基づいてＲＡＭ６３内の各種データを処理し、ＩＯＣ６５を介してテープ印刷装置１の各部に各種信号・データを出力することにより、入力編集処理や印刷切断処理の制御を行なう。
【００３０】
ここで、図３を参照して、ファイルを操作するための各種機能（ファイル操作機能８１）について説明する。図３に示すように、ファイル操作機能８１は、ファイル登録機能８２（ファイル登録手段）、ファイル呼出機能８３、ファイル消去機能８４、ファイル複写機能８５、ファイル一覧印刷機能８６（ファイル一覧印刷手段）および一覧印刷設定機能８７（ファイル印刷設定手段）から構成されており、これら各機能（８２〜８７）は、［ファイル］キー１４の操作により選択することができる。
【００３１】
ファイル登録機能８２は、ユーザーにより入力された編集データ毎にファイルとして登録（保存）する機能であり、各ファイルの内容、各ファイルを特定するためのファイル番号、および各ファイルに付けられたファイル名を関連付けて登録する。
【００３２】
ファイル呼出機能８３は、登録したファイルを呼び出す機能であり、登録した全てのファイルの中から、ユーザーにより選択されたファイルを呼び出す。
【００３３】
ファイル消去機能８４は、登録したファイルを削除する機能であり、登録した全てのファイルの中から、ユーザーにより選択されたファイルを消去する。
【００３４】
ファイル複写機能８５は、登録したファイルを複写する機能であり、登録した全てのファイルの中から、ユーザーにより選択されたファイルを別ファイル（別のファイル番号）として登録する。
【００３５】
ファイル一覧印刷機能８６は、登録した全てのファイルについて、各ファイルのファイル番号１０１、ファイル名１０２、およびファイルの内容の少なくとも一部（ファイル内容１０３）の一覧（以下、「ファイル一覧」と称す。）を印刷する機能である（図５参照）。また、このファイル一覧は、後述の一覧印刷設定機能８７による設定に基づいて印刷される。
【００３６】
一覧印刷設定機能８７は、選択肢として行数設定９１および文字数設定９２を有している。行数設定９１は、ファイル一覧を印刷テープＴに印刷する際の行数を設定するものであり、「連動９１ａ（デフォルト設定）」および「固定９１ｂ」の２つの選択肢を有している。選択肢「連動９１ａ」は、テープ印刷装置１（カートリッジ装着部６）に装着したテープカートリッジＣに収容された印刷テープＴのテープ幅により印刷可能な最大行数を設定する。
【００３７】
例えば、図４に示すように、印刷テープＴのテープ幅が「４ｍｍ」のテープカートリッジＣが装着されている場合、行数は「１行」に設定され、テープ幅が「６ｍｍ」の場合は「２行」、テープ幅が「９ｍｍ」の場合は「３行」という具合に、装着されたテープカートリッジＣの印刷テープＴのテープ幅と連動して印刷可能な最大行数が設定される。
【００３８】
一方、選択肢「固定９１ｂ」は、印刷テープＴのテープ幅によらず常に行数を固定的に設定するものであり、「５行」、「６行」、「７行」、「８行」の４つの選択肢の中から選択された値に行数を固定する。この選択肢「固定９１ｂ」により行数を設定する場合、例えば、テープ幅が「９ｍｍ（最大印刷行数：３行（図４参照））」の印刷テープＴをテープ印刷装置１に装着した状態で、行数を「５行（またはこれ以上）」に設定した場合、テープ印刷装置１は、９ｍｍの印刷テープＴの最大印刷行数を超えた設定がなされたと判定し、印刷指示時にエラー表示を行うなどして、ユーザーにその旨を通知する。
【００３９】
文字数設定９２は、上記のファイル一覧を印刷テープＴに印刷する際の、登録ファイル単位の１行あたりの最大文字数を指定する機能であり、「１０文字／行」、「２０文字／行（デフォルト設定）」、「３０文字／行」、「５０文字／行」の４つの選択肢を有している。これらの行数設定９１および文字数設定９２により、ユーザーのニーズに合った様式で登録されたファイルの一覧を印刷することができる。
【００４０】
なお、テープ印刷装置１では、装着した印刷テープＴのテープ幅により、印刷行数と文字サイズとは連動する（印刷行数を設定することで文字サイズは必然的に決定する）。このため、文字数設定９２で設定された文字数分の各文字の文字サイズは、上記の行数設定９１により設定された行数に連動して決定される。例えば、テープ幅に対しての最大の印刷行数が設定されている場合、その文字サイズは、テープ印刷装置１で使用可能な最小の文字サイズになる。
【００４１】
また、図４に示すテープ幅と印刷可能行数との対応関係は、あくまでも一例であり、テープ印刷装置１の機種（性能）によりテープ幅と印刷可能行数との対応関係は異なる。また、「固定９１ｂ」の下位階層にある選択肢（「５行」〜「８行」）、および文字数設定９２の下位階層の選択肢（「２０文字／行」〜「５０字／行」）は一例であり、これに限るものではない。
【００４２】
ここで、図５を参照して、ファイル一覧の印刷結果（ファイル一覧を印刷したラベルＬ）について説明する。図５に示すラベルＬは、１２ｍｍの印刷テープＴを用い、行数設定９１を「連動９１ａ」に設定し、文字数設定９２を「２０文字／行」に設定した場合の印刷結果である。なお、図中の点線は、１行あたりの文字数に対応する印刷領域を示すものであり、実際の印刷時には印刷されない。
【００４３】
[ファイル]キー１３の操作により、ファイル一覧印刷機能８６が選択されると、行数設定９１および文字数設定９２の設定内容に基づいて、登録されている全てのファイルについての各ファイルのファイル番号１０１／ファイル名１０２／ファイル内容１０３が印刷される。この時、ファイル番号１０１、ファイル名１０２、およびファイル内容１０３が設定行数や設定文字数に満たない場合であっても設定された値に基づいて印刷が行われるため、１ファイルあたりのラベルＬの長さは一定の長さとなる。また、編集データが登録されていないファイル番号（例えば、ファイル番号１０１が０２〜０４、０６〜０８等）に関しては印刷を行わず、登録されているファイル番号の内容のみを連続して印刷する。
【００４４】
以上のように、本実施形態によれば、登録した全てのファイルについて、各ファイルの内容の少なくとも一部をファイル一覧として印刷することができる。これにより、ユーザーは、ファイル内容１０３の一覧を参照することで、どのようなファイルが登録されているかを簡単に確認することができる。
【００４５】
また、ファイル内容１０３に加え、ファイル番号１０１やファイル名１０２を印刷することで、例えば、ユーザーがファイル登録時のファイル番号１０１やファイル名１０２を忘れたり、あるいはファイル名１０２を付けずに登録していた場合においても、ファイル一覧を印刷したラベルＬを参照することで、容易に所望のファイルのファイル番号１０１やファイル名１０２を把握することができる。このため、ユーザーは、呼び出し対象となるファイルを容易に選択できるため利便性が良い。
【００４６】
なお、ラベルＬの切断方法としてハーフカットの設定が行われている場合、図６に示すように、ファイル単位でハーフカットを行い、ハーフカットラインＨＣを境界として分離可能にすることも可能である。
【００４７】
また、一覧印刷設定機能８７として、行数設定９１の代わりに、文字サイズを設定するようにしても良い（例えば、文字サイズ：１６ｄｏｔ等）。また、文字数設定９２の代わりに、１つのファイルにおいて使用する印刷テープＴの印刷領域のサイズ、つまり、１つのファイルにおける印刷テープＴの長手方向の長さ（テープ長）を設定するようにしても良い（例えば、テープ長：５ｃｍ等）。
【００４８】
また、本実施形態では、ファイル一覧の印刷について説明したが、これに限るものではなく、テープ印刷装置１に「あて名」や「外字」を登録し、それぞれの一覧（あて名一覧、外字一覧）を印刷する場合にも適用可能である。
【００４９】
また、本実施形態では、[ファイル]キー１４の操作により、ファイル一覧印刷を実行するようにしているが、これに限らず、例えば、単独のキーとして、「ファイル一覧印刷キー」を設けても良いし、あるいは、既存のキーとシフトキーとの組み合わせでファイル一覧印刷機能８６を実現することも可能である。
【００５０】
また、上述した実施例によらず、テープ印刷装置１の装置構成や処理工程等について、本発明の要旨を逸脱しない範囲で、適宜変更も可能である。
【符号の説明】
【００５１】
１…テープ印刷装置  ８２…ファイル登録機能  ８６…ファイル一覧印刷機能  ８７…一覧印刷設定機能  １０１…ファイル内容  １０２…ファイル番号  １０３…ファイル名
【図１】
2010173073.tif 000003
【図２】
2010173073.tif 000004
【図３】
2010173073.tif 000005
【図４】
2010173073.tif 000006
【図５】
2010173073.tif 000007
【図６】
2010173073.tif 000008